(57)【要約】【課題】使用者が食器洗い機を誤操作した場合でも、また、正しく操作した場合でも、それぞれの場合に応じた使用者の意図した運転が可能で、かつ、安価で信頼性の高い食器洗い機を実現する。【解決手段】前方に開口を有する筐体１内に引き出し自在に設けられ被洗浄物が収納される洗浄槽２と、洗浄槽２内の洗浄水を加熱するヒータ６と、被洗浄物を載置する食器かごと、洗浄水を被洗浄物に噴出する洗浄手段５と、洗浄槽２の位置を固定するロック機構１３と、洗浄槽２前面に設けられロック機構１３のロックを解除するロック解除レバー１４とを備え、ロック解除レバー１４によりロックが解除されると同時に運転が一時停止するよう構成するとともに、ロックを解除することで運転が一時停止した場合に限り、運転を一時停止した状態で所定時間経過すると、自動で運転を再開する構成としたものであり、上記課題を解決できる。【選択図】図１
2012029747.tif 000002
【特許請求の範囲】
【請求項１】
前方に開口を有する筐体と、前記筐体内に前記開口から引き出し自在に設けられるとともに被洗浄物が収納される洗浄槽と、前記洗浄槽内の洗浄水を加熱する加熱手段と、被洗浄物を載置する食器かごと、洗浄水を被洗浄物に噴出する洗浄手段と、前記洗浄槽の位置を固定するロック機構と、前記洗浄槽前面に設けられ前記ロック機構のロックを解除するロック解除機構とを備え、前記ロック解除機構によりロックが解除されると同時に運転が一時停止するよう構成するとともに、ロックを解除することで運転が一時停止した場合に限り、運転を一時停止した状態で所定時間経過すると、自動で運転を再開する構成とした食器洗い機。
【請求項２】
前記洗浄槽が前記筐体内に収納されているか否かを検知する洗浄槽位置検知手段と、前記洗浄槽を前記筐体内に自動で引き込む洗浄槽自動引き込み機構とを備え、運転を一時停止した状態で前記所定時間経過した時、前記洗浄槽位置検知手段によって前記洗浄槽が前記筐体内に収納されていないことを検知すると前記洗浄槽自動引き込み機構によって前記洗浄槽を前記筐体内に引き込み、その後、自動で運転を再開するよう構成した請求項１記載の食器洗い機。
【請求項３】
前記洗浄槽の前記筐体からの引き出し量が所定値未満か否かを検知する洗浄槽引き出し量検知手段を備え、前記引き出し量が所定値未満の場合に限り、前記洗浄槽自動引き込み機構によって前記洗浄槽を前記筐体内に引き込み、その後、自動で運転を再開するよう構成した請求項２記載の食器洗い機。
【請求項４】
前記ロック解除機構は前記洗浄槽を引き出すための洗浄槽持ち手の操作と連動して動作するように設け、前記ロック解除機構の動作が所定の時間内に行われるか否かによって、前記洗浄槽を引き出したかどうかを判断する請求項１〜３のいずれか１項記載の食器洗い機。
【発明の詳細な説明】
【技術分野】
【０００１】
本発明は、キッチン等に設置され被洗浄物の収納及び自動洗浄を行う食器洗い機に関するものである。
【背景技術】
【０００２】
従来の食器洗い機は、食器を追加して洗浄したい等のため運転を一時停止し、運転を再開する場合、使用者がスタート／一時停止ボタンを押すことにより一時停止を解除し運転を再開するものが一般的であった。このような食器洗い機の場合、一時停止後、ドアを開けて食器を洗浄槽内に追加設置し、ドアを閉めて運転を再開するが、スタート／一時停止ボタンを押すことを忘れると、使用者が想定した運転終了時刻になっても、食器洗い機の運転が完了しないという課題を有していた。
【０００３】
そこで、スタート／一時停止ボタンを押す必要があることを音声で報知したり、運転中にスタート／一時停止ボタンを押さずにドアをいきなり開けることによって一時停止させた場合は、ドアを閉めることにより自動で運転を再開するようにしたりして、上記の課題を軽減する食器洗い機が提案されている（例えば、特許文献１参照）。
【０００４】
また、制御回路内にタイマ手段を設けて、一時停止から又はドアを閉めてからの時間が所定時間に達すると運転を自動的に再開させることによって、上記の課題解決を図った食器洗い機も提案されている（例えば、特許文献２参照）。
【先行技術文献】
【特許文献】
【０００５】
【特許文献１】特開２００７−２８２８３０号公報
【特許文献２】特開平６−１７８７５０号公報
【発明の概要】
【発明が解決しようとする課題】
【０００６】
しかしながら、このような従来の食器洗い機の構成では、上記特許文献１に記載の食器洗い機の場合、使用者が意図して運転を一時停止した場合の長時間放置に対しては考慮されているが、キッチンでの作業中に誤って触れてしまう、もしくは、幼児が遊んでいて触れてしまうなど、使用者の意図に反してロック解除機構により一時的に洗浄槽の固定を解除した場合、食器洗い機は使用者の意図に反して運転を一時停止するため、使用者が食器洗い機の運転が一時停止したことに気づかず、食器洗い機の運転が進行することなく、使用者が想定した運転終了時刻になっても、食器洗い機の運転が完了しないという課題を有していた。
【０００７】
また、上記特許文献２に記載の食器洗い機の場合は、使用者の意図に反して運転が一時停止された際にも運転を自動的に再開させることができるが、スタート／一時停止ボタンが押されたことによる一時停止と、ドアが開かれたことによる一時停止とのすべての場合に対応するものであり、制御回路および動作処理のプログラムが複雑多岐にわたるという課題があった。
【０００８】
本発明は、前記従来の課題を解決するもので、使用者の意図に反して運転が一時停止された場合に限り、食器洗い機の運転を自動的に再開するもので、使用者が食器洗い機を誤操作した場合でも、また、正しく操作した場合でも、それぞれの場合に応じた使用者の意図した運転が可能になる。また、制御回路および動作処理のプログラムを簡素化でき、安
価で信頼性の高い食器洗い機を実現することができる。
【課題を解決するための手段】
【０００９】
前記従来の課題を解決するために、本発明の食器洗い機は、前方に開口を有する筐体と、前記筐体内に前記開口から引き出し自在に設けられるとともに被洗浄物が収納される洗浄槽と、前記洗浄槽内の洗浄水を加熱する加熱手段と、被洗浄物を載置する食器かごと、洗浄水を被洗浄物に噴出する洗浄手段と、前記洗浄槽の位置を固定するロック機構と、前記洗浄槽前面に設けられ前記ロック機構のロックを解除するロック解除機構とを備え、前記ロック解除機構によりロックが解除されると同時に運転が一時停止するよう構成するとともに、ロックを解除することで運転が一時停止した場合に限り、運転を一時停止した状態で所定時間経過すると、自動で運転を再開する構成としたものである。
【００１０】
この構成により、使用者の意図に反して運転が一時停止された場合に限り、食器洗い機の運転を自動的に再開するもので、使用者が食器洗い機を誤操作した場合でも、また、正しく操作した場合でも、それぞれの場合に応じた使用者の意図した運転が可能になる。また、制御回路および動作処理のプログラムを簡素化でき、安価で信頼性の高い食器洗い機を実現することができる。
【発明の効果】
【００１１】
本発明の食器洗い機は、使用者の意図に反して運転が一時停止された場合に限り、食器洗い機の運転を自動的に再開するもので、使用者が食器洗い機を誤操作した場合でも、また、正しく操作した場合でも、それぞれの場合に応じた使用者の意図した運転が可能になる。また、制御回路および動作処理のプログラムを簡素化でき、安価で信頼性の高い食器洗い機を実現することができる。
【図面の簡単な説明】
【００１２】
【図１】本発明の第１の実施の形態の食器洗い機の構成を示す断面図
【図２】同食器洗い機の運転一時停止時の動作を示すフローチャート
【図３】本発明の第２の実施の形態の食器洗い機の構成を示す断面図
【図４】同食器洗い機の運転一時停止時の動作を示すフローチャート
【図５】本発明の第３の実施の形態の食器洗い機の構成を示す断面図
【図６】同食器洗い機の運転一時停止時の動作を示すフローチャート
【図７】本発明の第４の実施の形態の食器洗い機の運転一時停止時の動作を示すフローチャート
【発明を実施するための形態】
【００１３】
第１の発明は、前方に開口を有する筐体と、前記筐体内に前記開口から引き出し自在に設けられるとともに被洗浄物が収納される洗浄槽と、前記洗浄槽内の洗浄水を加熱する加熱手段と、被洗浄物を載置する食器かごと、洗浄水を被洗浄物に噴出する洗浄手段と、前記洗浄槽の位置を固定するロック機構と、前記洗浄槽前面に設けられ前記ロック機構のロックを解除するロック解除機構とを備え、前記ロック解除機構によりロックが解除されると同時に運転が一時停止するよう構成するとともに、ロックを解除することで運転が一時停止した場合に限り、運転を一時停止した状態で所定時間経過すると、自動で運転を再開する構成としたもので、使用者の意図に反して運転が一時停止された場合に限り、食器洗い機の運転を自動的に再開することにより、使用者が食器洗い機を誤操作した場合でも、また、正しく操作した場合でも、それぞれの場合に応じた使用者の意図した運転が可能になる。また、制御回路および動作処理のプログラムを簡素化でき、安価で信頼性の高い食器洗い機を実現することができる。
【００１４】
第２の発明は、特に、前記洗浄槽が前記筐体内に収納されているか否かを検知する洗浄
槽位置検知手段と、前記洗浄槽を前記筐体内に自動で引き込む洗浄槽自動引き込み機構とを備え、運転を一時停止した状態で前記所定時間経過した時、前記洗浄槽位置検知手段によって前記洗浄槽が前記筐体内に収納されていないことを検知すると前記洗浄槽自動引き込み機構によって前記洗浄槽を前記筐体内に引き込み、その後、自動で運転を再開するよう構成したことにより、運転を一時停止した状態で所定時間経過した時、洗浄槽が正常に筐体内に押し込まれていない場合でも、自動で洗浄槽を筐体内に引き込み収納し、運転を再開させることができ、なお一層使用者の意図した運転を行うことが可能となり、さらに使い勝手が良くなる。
【００１５】
第３の発明は、特に、前記洗浄槽の前記筐体からの引き出し量が所定値未満か否かを検知する洗浄槽引き出し量検知手段を備え、前記引き出し量が所定値未満の場合に限り、前記洗浄槽自動引き込み機構によって前記洗浄槽を前記筐体内に引き込み、その後、自動で運転を再開するよう構成したもので、運転を一時停止した状態で所定時間経過した時、洗浄槽が使用者の意図に反して引き出されている場合は、自動で洗浄槽を筐体内に引き込み収納し、運転を再開させることができ、また、使用者が意図して洗浄槽を引き出している場合は洗浄槽の自動引き込みによる運転再開は行わないようにすることができ、なお一層使用者の意図した運転を行うことが可能となり、さらに使い勝手が良くなる。
【００１６】
第４の発明は、特に、前記ロック解除機構は前記洗浄槽を引き出すための洗浄槽持ち手の操作と連動して動作するように設け、前記ロック解除機構の動作が所定の時間内に行われるか否かによって、前記洗浄槽を引き出したかどうかを判断するもので、長期間の使用により、万一洗浄槽位置検知手段が故障し誤検知した際にも、洗浄槽引き出し時のロック解除操作の特性から、洗浄槽の位置を検知し、洗浄槽引き出し状態、つまり洗浄槽上面が開放されている状態であれば、運転再開を行わないようにすることができるので、より食器洗い機の安全性を向上させることができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態の食器洗い機の構成を示す断面図である。また、図２は同食器洗い機の運転一時停止時の動作を表すフローチャートである。
【００１９】
図１において、食器洗い機の筐体１内部には、食器などの被洗浄物を収納する洗浄槽２が、筐体１の前方に設けた開口から前方に引き出し可能な状態で設置してある。洗浄槽２の底部には、洗浄水を被洗浄物に噴出する洗浄ノズル３と洗浄水を加圧する洗浄ポンプ４とを有する洗浄手段５と、洗浄水を加熱し昇温させる加熱手段であるヒータ６を配置している。また、洗浄手段５、ヒータ６等を制御し、洗浄工程、すすぎ工程、乾燥工程の各工程を進行させる制御手段７が洗浄槽２の前面外壁に設けられている。
【００２０】
また、筐体１内部上方には、洗浄槽２上方の被洗浄物を出し入れする開口部を封鎖するための洗浄槽ふた８が設置されており、洗浄槽２を筐体１内に押し込むと洗浄槽ふた８が洗浄槽２を密閉し、運転中洗浄ノズル３から噴出する洗浄水が洗浄槽２外へ漏れ出るのを防ぐ。
【００２１】
また、洗浄槽２後方には洗浄槽位置検知手段９を設け、洗浄槽２が筐体１の内部に押し込まれ、洗浄槽２が筐体１内に完全に収納されたかどうかを検知し、検知信号を制御手段７へと伝える。洗浄槽位置検知手段９としては、筐体１に取り付けられオンオフスイッチと、洗浄槽２の外側部に取り付けた検知片との組み合わせ等、一般的によく知られた各種の位置検知手段が使用可能である。
【００２２】
洗浄槽２の前面上方には、食器洗い機の電源を入り切りする電源ボタン１０と食器洗い機の運転の開始、停止を操作する操作ボタン１１と、洗浄槽２を引き出すための洗浄槽持ち手１２と、洗浄槽２が筐体１の内部に押し込まれ完全に収納され、洗浄槽ふた８が洗浄槽２を密閉した状態を固定し、容易に洗浄槽２が筐体１内から引き出され、洗浄槽２が洗浄槽ふた８によって密閉されていない状態になることを防ぐための、洗浄槽２を筐体１に対しロックするロック機構１３と、ロック機構１３によるロックを解除するためのロック解除レバー１４と、ロック解除レバー１４の操作を検知するためのロック解除レバー操作検知手段１５を有する。
【００２３】
なお、食器洗い機の操作性を高めるためには、洗浄槽持ち手１２部にロック解除レバー１４を設け、洗浄槽２を引き出すために洗浄槽持ち手１２を持つことで、ロック解除レバー１４を操作し、動作させることができるように構成している。また、洗浄槽２を筐体１内へ押し込む際には、所定の位置まで洗浄槽２を押し込むと自動的にロック機構１３が洗浄槽２の位置を固定する構成としてある。
【００２４】
以上のように構成された食器洗い機について、以下その動作、作用を説明する。まず、筐体１から洗浄槽２を引き出して被洗浄物である食器を洗浄槽２内に収納し、同時に洗浄槽２内に洗剤を投入し、洗浄槽２を筐体１内に戻し、前面の電源ボタン１０および操作ボタン１１を操作し、洗浄を開始する。制御手段７は、洗浄工程開始とともに給水弁１６を開成して給水管１７から洗浄槽２内に給水し、所定量の給水が行われると給水弁１６を閉成して給水停止し、洗浄手段５である洗浄ポンプ４の運転により洗浄ノズル３から洗浄水を噴出させて被洗浄物である食器に噴きつける。洗浄水が噴出する反力で洗浄ノズル３が回転することで被洗浄物に洗浄水を行き渡らせ、洗浄性を高めている。
【００２５】
また洗浄工程においては、ほとんどの場合、ヒータ６により洗浄水を加熱する。洗浄水を加熱することにより、洗浄水に含まれている洗剤の酵素成分を活性化させる、あるいは、被洗浄物の主な汚れの成分である油分を乳化させやすくするなどの、洗浄性を高める効果がある。汚れの程度や食器洗い機の構成にもよるが、洗浄工程の洗浄水の温度としては５０〜６０℃程度まで上昇させるのが望ましい。洗浄工程が終了すると排水弁１８を開成して洗浄水を排水管１９から筐体１の外部に排水し、排水し終わると排水弁１８を閉成する。
【００２６】
次に行うすすぎ工程では洗剤を投入せずに、洗浄工程と同様に給水し、ヒータ６および洗浄ポンプ４の運転により、洗浄ノズル３から温水を噴出させて被洗浄物である食器に噴きつけ循環させる。なお、このすすぎ工程の後に行う乾燥工程において被洗浄物を短時間で効率的に乾かすため、最終すすぎでは被洗浄物を暖めておくのが好ましい。したがって、最終のすすぎは、６０℃〜７０℃程度の高温水にて実施され、除菌処理も行うことができる。すすぎ工程終了後は洗浄工程終了時と同様に洗浄槽２内のすすぎ水を排水する。
【００２７】
以上のように、食器洗い機は、洗浄性、乾燥性を高めるため、運転中の多くの時間において洗浄ノズル３より高温の洗浄水を噴出する。また、機体の種類によってはすすぎ工程終了後の排水の後、洗浄槽２内へと送風を行い、洗浄槽２内の食器を乾燥させる乾燥工程を設けたものもある。
【００２８】
次に、上記の運転途中に、使用者が洗浄槽２内に被洗浄物を追加で設置する場合の食器洗い機の動作、作用について、図２を参照して説明する。
【００２９】
洗浄槽２内に被洗浄物である食器を追加で設置する場合、使用者は、まず、操作ボタン１１を押して運転を一時停止させたのち、ロック解除レバー１４を操作し、洗浄槽持ち手
１２を用いて洗浄槽２を筐体１から前方へ引き出す。もしくは、操作ボタン１１を押すことによって運転を一時停止させず、直接ロック解除レバー１４を操作し、洗浄槽持ち手１２を用いて洗浄槽２を前方へ引き出す。このとき、高温洗浄水の噴出に対する安全性を考慮し、ロック解除レバー１４の操作をロック解除レバー操作検知手段１５により検知した場合には、運転を一時停止するよう制御手段７に信号を送り、食器洗い機の運転を一時停止させる。
【００３０】
このとき、制御手段７は、操作ボタン１１が押されたか、あるいは操作ボタン１１が押されずにロック解除レバー１４が操作されたかによって、上記のいずれの方法によって運転が一時停止されたかを判断し（ステップＳ１）、以降の動作を変更し、異なる動作を行う。
【００３１】
操作ボタン１１を押して運転を一時停止させた場合は、洗浄槽２を前方へ引き出した後、使用者は、洗浄槽２内に被洗浄物を設置し、再び洗浄槽２を筐体１内へ押し込み、操作ボタン１１を押す（ステップＳ２）。このとき、制御手段７は、洗浄槽位置検知手段９により洗浄槽２が正常に筐体１内へと押し込まれ、完全に収納されていることを検知すれば（ステップＳ３）、運転を再開する。
【００３２】
ステップＳ３において、洗浄槽２が完全に収納されていないと検知した場合は、高温洗浄水の噴出に対する安全性を考慮して、運転を再開しない。そして、使用者によって洗浄槽２が筐体１内に完全に収納され（ステップＳ４）、さらに操作ボタン１１を押す（ステップＳ２）ことによって、洗浄槽位置検知手段９による洗浄槽２の完全収納の検知を経て（ステップＳ３）、運転が再開される。
【００３３】
ステップＳ１において、操作ボタン１１が押されずにロック解除レバー１４が操作されたことによる一時停止と判断した場合、使用者が意図して洗浄槽２を引き出した時は、ステップＳ３で洗浄槽位置検知手段９によって洗浄槽２が筐体１内に収納されていないと検知されるので、ステップＳ４で洗浄槽２を正常に筐体１内へと押し込み、さらに操作ボタン１１を押し（ステップＳ２）、再びステップＳ３にて完全に収納されていることを検知してはじめて運転が再開される。すなわち、高温洗浄水の噴出に対する安全性を考慮し、ロック解除レバー１４操作により意図して運転を一時停止させた場合は、運転を再開させるためには、操作ボタン１１を押さなければならない。
【００３４】
しかしながら、キッチンでの作業中に誤って触れてしまう、もしくは、幼児が遊んでいて触れてしまうなど、洗浄槽２を引き出すつもりがなくても、ロック解除レバー１４を操作してしまう場合があり、この場合、洗浄槽２は運転中と同様に筐体１内に位置しているにもかかわらず、運転は一時停止状態となる。このとき、使用者が一時停止状態に気づかず、長時間運転再開されない状態になる。
【００３５】
これを防ぐために、本発明の食器洗い機では、操作ボタン１１が押されずにロック解除レバー１４が操作されたことによって運転中に一時停止した場合、一時停止開始してから、一時停止が継続している時間Ｔ１をカウントし（ステップＳ５）、一時停止の時間Ｔ１が所定値Ａ以上続いた場合（ステップＳ６）、洗浄槽位置検知手段９による洗浄槽２の完全収納の検知を経て（ステップＳ３）、自動的に運転を再開する。所定値Ａは１分程度が妥当である。ただし、ステップＳ３で洗浄槽位置検知手段９により洗浄槽２が正常に筐体１内に押し込まれていないことを検知した場合、運転は再開されず、ステップＳ４の使用者による洗浄槽２の筐体１内への完全収納、ステップＳ２の操作ボタン１１の押下、ステップＳ３による洗浄槽２の完全収納の再度の検知を経て初めて運転を再開することができる。
【００３６】
なお、使用者が、運転音を一時的になくしたいなどの理由で、意図的に操作ボタン１１により、運転を一時停止した場合と区別するために、ロック解除レバー１４の操作によって運転が一時停止した場合にのみ、上記動作フローに沿って自動的に運転を再開する方が、より使用者の意図にあった運転が可能となる。
【００３７】
また、操作ボタン１１が押されずにロック解除レバー１４が操作されたことによって運転中に一時停止した場合、その後のロック機構１３のロック状態として、ロック解除レバー１４が操作されただけで元通りのロック状態に戻る場合と、ロック解除レバー１４が操作された際に洗浄槽２がわずかに前方に引き出されロック解除の状態のまま残る場合と、洗浄槽２は筐体１内に収納されてはいるがロックは不完全ないわゆる半ロック状態となる場合とが考えられる。
【００３８】
元通りのロック状態に完全に戻った場合は、上記動作フローに沿って自動的に運転を再開しても問題なく、また洗浄槽２がわずかに前方に引き出された場合も、ステップＳ３による洗浄槽２の完全収納の検知によって自動による運転再開は行われず、高温の洗浄水が洗浄槽２から噴出するといった問題は発生しない。しかし、半ロック状態となった場合は、自動で運転が再開されると運転中の振動等によってロック解除状態に移行し、洗浄槽２が前方に出てしまい高温の洗浄水が洗浄槽２から噴出するといった問題が発生するおそれがある。
【００３９】
これに対しては、例えば、ロック機構１３の状態を検知するロック検知手段を設けてロック状態に戻ったかロック解除状態もしくは半ロック状態となったかを判別し、ロック状態に戻った場合に限り、上記動作フローに沿って自動的に運転を再開するようにすれば、より安全性が高く使い勝手のよい食器洗い機とすることができる。あるいは、運転再開後の洗浄槽位置検知手段９による洗浄槽２の位置検知によってロック状態の検知を代用する方法でもある程度同様の効果を得ることができる。
【００４０】
以上のように、本発明によれば、キッチンでの作業中に誤って触れてしまう、もしくは、幼児が遊んでいて触れてしまうなど、洗浄槽２を引き出すつもりがなくても、ロック解除レバー１４を操作してしまう等、使用者の意図に反して運転が一時停止された場合に限り、食器洗い機の運転を自動的に再開することにより、使用者が食器洗い機を誤操作した場合でも、また、正しく操作した場合でも、それぞれの場合に応じた使用者の意図した運転が可能になる。また、制御回路および動作処理のプログラムを簡素化でき、安価で信頼性の高い食器洗い機を実現することができる。
【００４１】
（実施の形態２）
本発明の第２の実施の形態の食器洗い機は、使用者の意図に反して運転が一時停止された場合において、一時停止の時間が所定値以上続いた時に、洗浄槽が正常に筐体内に押し込まれていなくても自動的に運転を再開できるようにしたものである。
【００４２】
図３は本発明の第２の実施の形態の食器洗い機の構成を示す断面図である。また、図４は同食器洗い機の運転一時停止時の動作を表すフローチャートである。
【００４３】
図３に示すように、本実施の形態の食器洗い機は洗浄槽２を筐体１内に自動で引き込み収納する洗浄槽自動引き込み機構２０を備えている。洗浄槽自動引き込み機構２０は、洗浄槽２の側部に取り付けられ洗浄槽２を筐体１の前方に設けた開口から前方に引き出し可能な状態に支持するレールの可動レール部２１に取り付けたラック２２と、筐体１側に取り付けられたモータ２３の回転軸に取り付けられラック２２と噛み合わせたピニオン２４とでラック・ピニオンとして構成され、制御手段７からの指示によってモータ２３を回転させることで洗浄槽２を筐体１内に自動で引き込み収納することが可能である。制御手段
７は、洗浄槽位置検知手段９により洗浄槽２が正常に筐体１内へと押し込まれ、完全に収納されていることを検知すれば、モータ２３への通電をオフし、モータの回転を停止させる。他の構成は上記実施の形態１と同じであり、詳細な説明は省略する。
【００４４】
以上のように構成された食器洗い機について、以下その動作、作用を説明する。洗浄工程、すすぎ工程、乾燥工程における動作は上記実施の形態１と同じであり、詳しい説明は省略し、その運転途中に、使用者が洗浄槽２内に被洗浄物を追加で設置する場合の食器洗い機の動作、作用について、図４を参照して説明する。
【００４５】
上記実施の形態１においては、ステップＳ３において、洗浄槽２が完全に収納されていないと検知した場合、高温洗浄水の噴出に対する安全性を考慮して、運転を再開しない。そして、使用者によって洗浄槽２が筐体１内に完全に収納され（ステップＳ４）、さらに操作ボタン１１を押す（ステップＳ２）ことによって、洗浄槽位置検知手段９による洗浄槽２の完全収納の検知を経て（ステップＳ３）、運転が再開される。
【００４６】
これに対し、本実施の形態では、ステップＳ３において、洗浄槽２が完全に収納されていないと検知した場合、洗浄槽自動引き込み機構２０によって洗浄槽２を筐体１内に自動で引き込み収納し（ステップＳ７）、再度洗浄槽位置検知手段９による洗浄槽２の完全収納の検知を経て（ステップＳ３）、運転が再開される。
【００４７】
なお、操作ボタン１１が押されずにロック解除レバー１４が操作されたことによって運転中に一時停止した場合、一時停止開始してから、一時停止が継続している時間Ｔ１をカウントし（ステップＳ５）、一時停止の時間Ｔ１が所定値Ａ以上続いた場合（ステップＳ６）、洗浄槽位置検知手段９による洗浄槽２の完全収納の検知を経て（ステップＳ３）、自動的に運転を再開する動作については、上記実施の形態１と同じである。
【００４８】
また、実施の形態１で述べた半ロック状態となった場合に対しては、ステップＳ３において洗浄槽２が完全に収納されていると検知した場合も、洗浄槽自動引き込み機構２０によって洗浄槽２を筐体１内に自動で引き込むように構成すれば、半ロック状態を解消した上で運転を再開できるので、より安全性が高く使い勝手のよい食器洗い機とすることができる。
【００４９】
以上のように、本発明によれば、キッチンでの作業中に誤って触れてしまう、もしくは、幼児が遊んでいて触れてしまうなど、洗浄槽２を引き出すつもりがなくても、ロック解除レバー１４を操作してしまう場合、ステップＳ３で洗浄槽位置検知手段９により洗浄槽２が正常に筐体１内に押し込まれていないことを検知したとしても、自動で洗浄槽２を筐体１内に引き込み収納し、運転を再開させることができ、なお一層使用者の意図した運転を行うことが可能となり、さらに使い勝手が良くなる。
【００５０】
（実施の形態３）
本発明の第３の実施の形態の食器洗い機は、使用者の意図に反して運転が一時停止された場合において、一時停止の時間が所定値以上続いた時に、洗浄槽が正常に筐体内に押し込まれていなければ、洗浄槽の引き出し量判定を行い、引き出し量の大小によって運転を再開するか否かを自動的に実行できるようにしたものである。
【００５１】
図５は本発明の第３の実施の形態の食器洗い機の構成を示す断面図である。また、図６は同食器洗い機の運転一時停止時の動作を表すフローチャートである。
【００５２】
図５に示すように、本実施の形態の食器洗い機は洗浄槽２の筐体１からの引き出し量が所定値未満か否かを検知する洗浄槽引き出し量検知手段２５を備えている。洗浄槽引き出
し量検知手段２５は、筐体１に取り付けられ発光素子と受光素子よりなる透過型光センサー２６と、洗浄槽２の外側部に取り付けた検知片２７とで構成され、透過型光センサー２６で発光素子から発された光を受光素子が受ける光量の大小によって検知片２７の食器洗い機前後方向の位置を検知し、検知した信号を洗浄槽２の引き出し量の情報として制御手段７に伝達する。他の構成は上記実施の形態２と同じであり、詳細な説明は省略する。
【００５３】
以上のように構成された食器洗い機について、以下その動作、作用を説明する。洗浄工程、すすぎ工程、乾燥工程における動作は上記実施の形態１および実施の形態２と同じであり、詳しい説明は省略し、その運転途中に、使用者が洗浄槽２内に被洗浄物を追加で設置する場合の食器洗い機の動作、作用について、図６を参照して説明する。
【００５４】
上記実施の形態２においては、ステップＳ３において、洗浄槽２が完全に収納されていないと検知した場合、洗浄槽２の筐体１からの引き出し量の大小によらず、洗浄槽自動引き込み機構２０によって洗浄槽２を筐体１内に自動で引き込み収納し（ステップＳ７）、再度洗浄槽位置検知手段９による洗浄槽２の完全収納の検知を経て（ステップＳ３）、運転が再開される。したがって、操作ボタン１１によらずにロック解除レバー１４を操作することによって運転中に一時停止した場合、使用者が意図して洗浄槽２を引き出した時であっても、一時停止後所定の時間Ｔ１が経過すれば自動的に洗浄槽２が引き込まれてしまい、却って使い勝手が悪くなってしまう。
【００５５】
そこで、本実施の形態では、洗浄槽引き出し量検知手段２５を設け、洗浄槽２の引き出し量が所定値未満か否かによって使用者が意図して洗浄槽２を引き出している状態か、キッチンでの作業中に誤って触れてしまう、もしくは、幼児が遊んでいて触れてしまうなどによって意図せずに洗浄槽２がわずかに引き出されている状態かを判断し、以降の運転再開までの動作を異ならせるようにした。
【００５６】
ステップＳ３において、洗浄槽２が完全に収納されていないと検知した場合、次いで、洗浄槽引き出し量検知手段２５によって洗浄槽２の引き出し量が所定値未満か否かを判定する（ステップＳ８）。所定値未満であれば、意図せずに洗浄槽２が引き出されている状態として実施の形態２と同様の動作を行い、洗浄槽自動引き込み機構２０によって洗浄槽２を筐体１内に自動で引き込み収納し（ステップＳ７）、再度洗浄槽位置検知手段９による洗浄槽２の完全収納の検知を経て（ステップＳ３）、運転が再開される。所定値以上であれば、意図して洗浄槽２を引き出している状態として自動による運転再開は行わず、実施の形態１と同様の動作を行い、使用者によって洗浄槽２が筐体１内に完全に収納され（ステップＳ４）、さらに操作ボタン１１を押す（ステップＳ２）ことによってはじめて、洗浄槽位置検知手段９による洗浄槽２の完全収納の検知を経て（ステップＳ３）、運転が再開される。
【００５７】
この場合の洗浄槽２の引き出し量判定の所定値の一例としては、洗浄槽２の前面内壁が筐体１の前面から前方にわずかに出ている状態、もしくはその状態が前方に立った使用者から視認できる状態程度が好適である。
【００５８】
なお、操作ボタン１１が押されずにロック解除レバー１４が操作されたことによって運転中に一時停止した場合、一時停止開始してから、一時停止が継続している時間Ｔ１をカウントし（ステップＳ５）、一時停止の時間Ｔ１が所定値Ａ以上続いた場合（ステップＳ６）、洗浄槽位置検知手段９による洗浄槽２の完全収納の検知を経て（ステップＳ３）、自動的に運転を再開する動作については、上記実施の形態１および実施の形態２と同じである。
【００５９】
また、洗浄槽引き出し量検知手段２５は、本実施の形態では透過型光センサー２６と検
知片２７とによる構成としたが、反射型光センサーと検知片、あるいはオンオフ式スイッチと接触片等による構成とすることも可能である。
【００６０】
以上のように、本発明によれば、キッチンでの作業中に誤って触れてしまう、もしくは、幼児が遊んでいて触れてしまうなど、洗浄槽２を引き出すつもりがなくても、ロック解除レバー１４を操作してしまう場合、ステップＳ３で洗浄槽位置検知手段９により洗浄槽２が正常に筐体１内に押し込まれていないことを検知したとしても、自動で洗浄槽２を筐体１内に引き込み収納し、運転を再開させることができ、さらに、使用者が意図して洗浄槽２を引き出している場合は洗浄槽２の自動引き込みによる運転再開は行わないようにすることができ、なお一層使用者の意図した運転を行うことが可能となり、さらに使い勝手が良くなる。
【００６１】
（実施の形態４）
制御手段７が上記実施の形態１〜３のいずれかの動作フローに沿って運転一時停止後の運転再開の動作を制御するに際し、長期間の使用により、万一洗浄槽位置検知手段９が故障した場合、ロック解除レバー１４を操作して洗浄槽２を筐体１から引き出し、運転が一時停止した状態で、洗浄槽位置検知手段９の誤作動により、洗浄槽２が筐体１に押し込まれていると検知し、運転が再開するおそれがある。
【００６２】
本発明は、このような場合を考慮してなされたもので、以下その動作、作用を図７を参照して説明する。なお、図７は上記実施の形態１の動作フローに本発明特有のステップを追加したものとして記載してあるが、実施の形態２あるいは３の動作フローに対しても同様に追加可能なものである。
【００６３】
本実施の形態の食器洗い機では、ロック解除レバー１４を洗浄槽持ち手１２部に設け、洗浄槽２を引き出す際にはロック解除レバー１４を操作し続ける構成にすることで（図１参照）、ロック解除レバー１４の操作時間Ｔ２をロック解除レバー操作検知手段１５によって検知、カウントし（ステップＳ９）、洗浄槽位置検知手段９が、洗浄槽２が正常に筐体１内に押し込まれていると検知した場合であっても、ロック解除レバー１４の操作時間Ｔ２が洗浄槽２を引き出した可能性のある所定時間Ｂ以上であれば、洗浄槽２は引き出されていると判断し（ステップＳ１０）、自動による運転再開は行わず、ステップＳ４の使用者による洗浄槽２の筐体１内への完全収納、ステップＳ２の操作ボタン１１の押下、ステップＳ３による洗浄槽２の完全収納の再度の検知を経て初めて運転を再開するようにした。
【００６４】
そして、ステップＳ１０においてロック解除レバー１４の操作時間Ｔ２が洗浄槽２を引き出した可能性のある所定時間Ｂ未満であれば、キッチンでの作業中に誤って触れてしまう、もしくは、幼児が遊んでいて触れてしまうなど、洗浄槽２を引き出すつもりがなくロック解除レバー１４を操作してしまった場合と考えられ、ステップＳ５以下の動作フローを実行して自動による運転が再開される。なお、所定時間Ｂは機体の構成によるが、２秒程度が妥当である。
【００６５】
以上のように、本発明によれば、長期間の使用により、万一洗浄槽位置検知手段９が故障した場合においても、使用者の意図に反して運転が一時停止された食器洗い機の運転を自動的に再開することが可能になる。
【産業上の利用可能性】
【００６６】
以上のように、本発明にかかる食器洗い機は、使用者の誤操作による意図しない長時間の運転一時停止を防止することが可能となるのみならず、正しい操作による意図した一時停止の場合には余計な自動運転再開を行わないようにすることが可能となるので、より使
用者の意図に合った運転が可能な食器洗い機として有用である。
【符号の説明】
【００６７】
１  筐体
２  洗浄槽
３  洗浄ノズル
４  洗浄ポンプ
５  洗浄手段
６  ヒータ（加熱手段）
７  制御手段
８  洗浄槽ふた
９  洗浄槽位置検知手段
１０  電源ボタン
１１  操作ボタン
１２  洗浄槽持ち手
１３  ロック機構
１４  ロック解除レバー（ロック解除機構）
１５  ロック解除レバー操作検知手段
１６  給水弁
１７  給水管
１８  排水弁
１９  排水管
２０  洗浄槽自動引き込み機構
２５  洗浄槽引き出し量検知手段
Ｓ１〜Ｓ１０  ステップ
【図２】
2012029747.tif 000003
【図４】
2012029747.tif 000004
【図６】
2012029747.tif 000005
【図７】
2012029747.tif 000006
【図１】
2012029747.tif 000007
【図３】
2012029747.tif 000008
【図５】
2012029747.tif 000009